(57)【要約】【課題】  汎用性が高く利便性が良いイヤースピーカ装置の提供。【解決手段】  放音可能なスピーカ本体を、外耳道を避けて耳介の周囲に配置するようにしたイヤースピーカ装置であって、スピーカ本体は、ユーザーの頭部に装着させた装着体とは別体とされ、装着体の所定の位置にその表面側から重ねるように取付けしかも取外し自在とする取付手段を、裏面側に備えている。【選択図】  図１
2015159359.tif 000002
【特許請求の範囲】
【請求項１】
放音可能なスピーカ本体を、外耳道を避けて耳介の周囲に配置するようにしたイヤースピーカ装置であって、
スピーカ本体は、ユーザーの頭部に装着させた装着体とは別体とされ、装着体の所定の位置にその表面側から重ねるように取付けしかも取外し自在とする取付手段を、裏面側に備えたことを特徴とすることを特徴とするスピーカ装置。
【請求項２】
スピーカ本体は放音孔を備え、スピーカ本体は、耳介の上側ないし前側の間に配置され、放音孔が耳介側に配置される請求項１記載のスピーカ装置。
【請求項３】
スピーカ本体は箱型に形成され、スピーカ本体はその前部に、空気を耳介に対して上下方向および側方に流すよう案内する壁を備えた請求項１または請求項２の何れか１項に記載のスピーカ装置。
【発明の詳細な説明】
【技術分野】
【０００１】
本発明は、外耳道に挿入しないことで周囲音を遮断しないことから、例えばサイクリストに好適に用いられるイヤースピーカ装置に関する。
【背景技術】
【０００２】
周囲音を遮断することなく、安全に使用できるイヤースピーカ装置として、下記特許文献１が提案されている。特許文献１のイヤースピーカ装置は、スピーカと、スピーカをユーザーの耳介の近傍で耳介から外れた位置に配置させる装着体とを備えている。この場合、装着体は、頭部に後方から掛けられるバンド部、バンド部に一体に設けられた一対の押付部、および押付部に一体に設けられた一対の支持アームを備えている。そしてスピーカは、各支持アームに固定されている。
【０００３】
下記特許文献２には、眼鏡のフレームに対して着脱自在なイヤホンと、フレームに対してイヤホンを着脱自在とする取付手段とを備えた眼鏡フレーム取付式イヤホンが記載されている。取付手段はアーム部材を備え、アーム部材の一端側はフレームに対して着脱自在とされ、イヤホンはアーム部材の他端部に上下左右にスライド可能に支持される構造である。そして一端部とフレームとはねじによって留められ、他端部とイヤホンとはねじによって留められる。
【先行技術文献】
【特許文献】
【０００４】
【特許文献１】特開２０１３−１７２３７１号公報
【特許文献２】実開昭６２−１５４４１７号公報
【発明の概要】
【発明が解決しようとする課題】
【０００５】
特許文献１のイヤースピーカ装置では、スピーカは耳介から外れた位置に配置されるから、周囲音を遮断することなく、安全に使用できる。しかしながら、スピーカはそもそも装着体に固定されている。このため、スピーカは専用の装着体とともに準備する必要があり、スピーカの汎用性がなく、不便である。
【０００６】
特許文献２には、眼鏡のフレームに対して着脱自在なイヤホンと、フレームに対してイヤホンを着脱自在とする取付手段とを備えた眼鏡フレーム取付式イヤホンが記載されている。特許文献２では、イヤホンはフレームに対して着脱自在であるが、上記のような取付手段を用いなければ、フレームに取付けることができない。したがって特許文献１と同様に、イヤホンは眼鏡とともに準備する必要があり、イヤホンの汎用性がない。そして仮に、特許文献２において、イヤホンを、特許文献１のスピーカに置き換えたとしても、同様にスピーカの汎用性がなく、不便である。
【０００７】
そこで本発明は、汎用性が高いことで利便性の良いイヤースピーカ装置の提供を目的とする。
【課題を解決するための手段】
【０００８】
本発明は、放音可能なスピーカ本体を、外耳道を避けて耳介の周囲に配置するようにしたイヤースピーカ装置であって、スピーカ本体は、ユーザーの頭部に装着させた装着体とは別体とされ、装着体の所定の位置にその表面側から重ねるように取付けしかも取外し自在とする取付手段を、裏面側に備えたことを特徴とする。
【０００９】
上記構成において、スピーカ本体は装着体とは別体であり、取付手段によって装着体の表面側に重ねるように取付けられるから、取付けに際して専用の装着体の準備を要することなく、スピーカ本体が外耳道を避けて耳介の周囲に配置される。
【００１０】
本発明のスピーカ装置では、スピーカ本体は放音孔を備え、スピーカ本体は、耳介の上側ないし前側の間に配置され、放音孔が耳介側に配置される構成を採用できる。
【００１１】
上記構成のように、スピーカ本体が耳介の上側ないし前側の間に配置されることで周囲音を遮断することなく、しかも放音孔が耳介側に配置されることで、放音孔からの音をユーザーが聞きとり易くなる。
【００１２】
本発明のスピーカ装置では、スピーカ本体は箱型に形成され、スピーカ本体はその前部に、空気を耳介に対して上下方向および側方に流すよう案内する壁を備えた構成を採用できる。壁によって空気が耳介の上下方向および側方に流されることで、風切音が抑制される。
【発明の効果】
【００１３】
本発明のイヤースピーカ装置では、スピーカ本体は装着体とは別体であり、取付手段によって装着体の表面側に重ねるように取付けられるから、取付けに際して専用の装着体の準備を要することなく、スピーカ本体を、外耳道を避けて耳介の周囲に配置することができ、汎用性が高く利便性が良い。
【図面の簡単な説明】
【００１４】
【図１】本発明の一方のイヤースピーカ装置の一使用状態を示す、正面方向からの斜視図である。
【図２】同他方のイヤースピーカ装置の側面方向からの斜視図である。
【図３】同双方のイヤースピーカ装置の反対側面方向からの斜視図である。
【図４】同一方のイヤースピーカ装置の側面図である。
【図５】同一方のイヤースピーカ装置の平面断面図である。
【図６】他の使用状態を表す側面図である。
【図７】さらに他の使用状態を表す斜視図である。
【図８】同一方のイヤースピーカ装置の正面図である。
【発明を実施するための形態】
【００１５】
以下、本発明のイヤースピーカ装置に係る一実施形態を、図面を参照しつつ説明する。本実施形態では、図１に示すように、イヤースピーカ装置１を、サイクリスト（ユーザーの一例である）の頭部２に装着されるヘッドギアのストラップ３に対して取付ける場合で説明する。ヘッドギアは装着体に相当し、ストラップ３は、サイクリストがその頭部に付帯するヘッドギアに付随するものである。
【００１６】
図３に示すように、イヤースピーカ装置１は、左右一対で設けられ、サイクリストの外耳道４を避け耳介５の前側に配置されるスピーカ本体６と、スピーカ本体６をストラップ３に着脱自在に取付けるための取付手段とを備えている。
【００１７】
以下、一方のイヤースピーカ装置１について説明して、他方のイヤースピーカ装置１の説明に兼用する。スピーカ本体６は、内部に不図示のスピーカを備えて、箱型に形成されている。具体的に、図４および図５に示すように、スピーカ本体６は、前壁８、後壁９、天壁１０、底壁１１、表側壁１２、および裏側壁１３を備えて、全体として箱型に形成されている。図１に示すように、スピーカ本体６を側面視した場合、後壁９に対して前壁８の高さの方が高く形成され、天壁１０および底壁１１は、後壁９に向けて次第に傾斜するよう形成されている。後壁９、天壁１０、底壁１１、表側壁１２、および裏側壁１３はそれぞれ平板状に形成されており、前壁８は、前方へ向けて緩やかに凸となるよう湾曲した円弧状に形成されている。これにより、スピーカ本体６は、側面視すると、前壁８を下底とし後壁９を上底とした略台形に形成されている。
【００１８】
前壁８、後壁９、天壁１０、および底壁１１と表側壁１２との連続部分は、円弧状の面取りが施された面取り壁Ｒにより連続している。前壁８、後壁９、天壁１０、および底壁１１と裏側壁１３の連続部分は角錐台形状の連続壁Ｆにより連続している。
【００１９】
このようなスピーカ本体６は、左右方向に三分割された本体パーツ１４，１５，１６を左右方向（内外方向）で組付けることで形成されている。図３に示すように、スピーカ本体６の後壁９には、上下方向（後壁９の長手方向に沿う方向）に離間して、複数個所に放音孔１７が形成されている。
【００２０】
スピーカ本体６の裏側壁１３には面ファスナのフック部１８が固着されている。裏側壁１３は平坦であるから、フック部１８も凹凸なく平坦状になっている。面ファスナのフック部１８に着脱自在に係止するループ部１９（図１参照）は、ヘッドギアに取付けられた縦方向のストラップ３に取付けられている。縦方向のストラップ３は、サイクリストの耳介５の前側において下方ほど後方に位置するよう傾斜して配置される。面ファスナのループ部１９は、縦方向のストラップ３の長手方向途中部に配置される。具体的には、ループ部１９は筒状に形成されて、縦方向のストラップ３が挿通される。このような面ファスナは、着脱手段の一例である。
【００２１】
スピーカ本体６の天壁１０にはイヤーフック２０が形成されている。イヤーフック２０は、天壁１０から斜め上方に向け、且つ後方に延長されるよう天壁１０に一体的に形成された前部２１と、前部２１の後端部から下方へ向けて一体的に延長された後部２２とを備える。前部２１と後部２２の連続部分は側面視して円弧状に形成されている。後部２２は上下方向中心部が、後方へ向けて最も凸となるよう湾曲して形成されている。後部２２の上下方向高さは、スピーカ本体６の上下方向高さに比べて大きく設定されている。このようなイヤーフック２０は平板状に形成され、スピーカ本体６と略平行に設けられている。
【００２２】
上記構成のイヤースピーカ装置１を取付けるのに際し、サイクリストが面ファスナのループ部１９をストラップ３に挿通し、サイクリストがヘッドギアを頭部２に装着し、ループ部１９を頭部２に締め付ける。このときサイクリストは、例えばループ部１９を外耳道の前側に相当する位置に配置しておく。ループ部１９を頭部２に締め付けることで、ループ部１９の一部がサイクリストの顔とストラップ３とで挟持される。
【００２３】
次にサイクリストは、イヤーフック２０を耳介５に係止するとともに、面ファスナのフック部１８がループ部１９に係止するよう、また、スピーカ本体６が、外耳道４を避けてその前側に相当する位置となるよう、スピーカ本体６を頭部２の側方からストラップ３に重ねるように取付ける。そうすると、スピーカ本体６が耳介５およびストラップ３に固定され、また、放音孔１７が外耳道４の前側に位置する。
【００２４】
このように、スピーカ本体６は外耳道４に挿入されずに耳介５の前側に外れた位置に配置されることから、周囲音を遮断することなく、サイクリストにとって安全に使用できる。しかも放音孔１７が外耳道４の前側に位置することで、放音孔１７からの音声等を確実に聞き取ることができる。
【００２５】
面ファスナのフック部１８は凹凸なく平坦状になっているため、相手方であるループ部１９に大きな面積で係止することができる。このため、スピーカ本体６を、ストラップ３に確実に保持できる。
【００２６】
スピーカ本体６は箱型に形成されており、耳介５（外耳道４）の前側に配置されている。このため、サイクリストの耳介５を通る風による風切り音を抑制できる。しかも、前壁８、後壁９、天壁１０、および底壁１１と表側壁１２との連続部分は、円弧状の面取りが施された面取り壁Ｒにより連続している。さらに、前壁８は、前方へ向けて緩やかに凸となるよう湾曲した円弧状に形成されている。この形状のように、スピーカ本体６には、風を急激に方向転換するような部位がなく、空気はスピーカ本体６によって耳介５に対して上下方向および側方に円滑に流れるよう案内されるため、スピーカ本体６そのものから発生する風切り音を抑制できる。しかも、スピーカ本体６の裏側壁１３は平坦面であることから、裏側壁１３とサイクリストの顔との間に隙間が生じにくい。この点においても、風切り音が発生しにくい。
【００２７】
スピーカ本体６は、面ファスナを介してストラップ３に装着されている。このため、サイクリストは、ループ部１９の位置を変更したり、ループ部１９に対するフック部１８の位置を変更したりすることで、スピーカ本体６の配置位置を、サイクリストの好みにあわせて、容易に変更することができる。そして、ループ部１９に対するフック部１８の位置を調整するためには、一旦ループ部１９からフック部１８（スピーカ本体６）を取外す必要がある。しかしながら、取付手段は面ファスナであるため、ストラップ３に対するスピーカ本体６の着脱を容易に行うことができる。
【００２８】
イヤースピーカ装置１は、イヤーフック２０を備えているから、耳介５に掛けたイヤーフック２０を中心としてスピーカ本体６の位置調整をすることもできる。イヤーフック２０では、前部２１と後部２２の連続部分が円弧状に形成されているから、耳介５に掛けたイヤーフック２０を中心としてスピーカ本体６の位置調整をすることが容易である。
【００２９】
本発明は、上記実施形態に限られるものではなく、本発明の主旨を逸脱しない範囲で種々変形が可能である。その他、各部の具体的構成についても同様である。
【００３０】
例えば、図６は、スピーカ本体６を眼鏡（サングラス）２５のフレーム２６に装着した場合を示す。この場合では、取付手段は図１ないし図５の実施形態と同様である。特に、ループ部１９は、フレーム２６を挿通するようにしてフレーム２６に取付けられる。眼鏡２５のフレーム２６は耳介５に掛けられる。したがってその分だけ、スピーカ本体６は耳介５に対して上寄りに配置されることになる。この場合では、スピーカ本体６の前部が下傾斜するように、フック部１８をループ部１９に取付け、放音孔１７が外耳道４を向くようにする。
【００３１】
このようにすることで、サイクリストは、放音孔１７からの音声等を確実に聞き取ることができる。なお、フック部１８の面積を大きく（例えば、上下方向の長さを長く）しておいて、ループ部１９に対するフック部１８の位置を調整することで、スピーカ本体６の位置調整が広い範囲で可能となる。また耳介５に対する傾斜角度も容易に変更可能である。
【００３２】
図７は、スピーカ本体６をユーザーが頭部に付帯するヘッドバンド２７に装着する場合を示している。この実施形態において、取付手段は、スピーカ本体６の裏側壁１３に設けたクリップ２８としている。スピーカ本体６はクリップ２８によりヘッドバンド２７に着脱自在に取付けられる。
【００３３】
すなわち、ヘッドバンド２７をクリップ２８とスピーカ本体６の裏側壁１３の間に挟むように挿入することで、ヘッドバンド２７はクリップ２８の弾性により、クリップ２８とスピーカ本体６の裏側壁１３との間に、挟持される。換言すれば、スピーカ本体６がヘッドバンド２７に支持される。なお、クリップ２８は、スピーカ本体６の裏側壁１３に、ヘッドバンド２７の上部を挟むように設けてもよい。
【００３４】
付帯物として、ヘッドギアのストラップ３、眼鏡２５、ヘッドバンド２７を挙げたが、スピーカ本体６を装着する付帯物として、他に、ニット製の帽子等であってもよい。本発明のイヤースピーカ装置１では、スピーカ本体６の取付けに際して専用の装着体の準備を要することなく、スピーカ本体６を、外耳道４を避けて耳介５の周囲に配置することができ、汎用性が高く利便性が良い。
【００３５】
上記各実施形態では、スピーカ本体６は、後部に比べて前部の高さを高くした。しかしながら、前部に比べて後部の高さが高くなるよう形成することもできる。上記各実施形態では、スピーカ本体６の表側壁１２を平坦に形成したが、側方へ向けて凸となるよう湾曲させることもできる。上記実施形態では、放音孔１７は、スピーカ本体６の後壁９に、上下方向に離間して形成した。しかしながら、放音孔１７は、後壁９と表側壁１２の連続部分、後壁９と裏側壁１３の連続部分に形成することもできる。
【符号の説明】
【００３６】
１…イヤースピーカ装置、２…ユーザーの頭部、３…ストラップ、４…外耳道、５…耳介、６…スピーカ本体、８…前壁、９…後壁、１０…天壁１１…底壁、１２…表側壁、１３…裏側壁、１７…放音孔、１８…フック部、１９…ループ部、２０…イヤーフック
【図１】
2015159359.tif 000003
【図２】
2015159359.tif 000004
【図３】
2015159359.tif 000005
【図４】
2015159359.tif 000006
【図５】
2015159359.tif 000007
【図６】
2015159359.tif 000008
【図７】
2015159359.tif 000009
【図８】
2015159359.tif 000010